(57)【要約】      （修正有）【課題】吸水による重量化を防止したテールキックブロックなどの防滑材を提供する。【解決手段】サーフボード１００のデッキ後方に貼着されるテールキックブロック３００を、軟質ポリ塩化ビニル、特殊ポリエチレン、ポリプロピレン、ポリオレフィン・エラストマー、ポリプロピレン・コポリマー、生分解性プラスチック、エチレン酢酸ビニル共重合物などのような非吸水性或いは難吸水性の素材によって製造する。テールキックブロック３００の形状は、サーフボード１００に貼着されたときに、サーフボード１００の前方側が長くサーフボード１００の後方側が短く、後方からの見え方が貼着面が幅広の略台形状となり、側面からの見え方が前記ボードの前方がなだらかな斜面となり、前方から後方へかけての断面が略への字状とすることができる。【選択図】図２
2012179933.tif 000002
【特許請求の範囲】
【請求項１】
ボードのデッキ後方に貼着される防滑材において、
非吸水性或いは難吸水性の素材によって製造されている防滑材。
【請求項２】
前記素材は、軟質ポリ塩化ビニル、特殊ポリエチレン、ポリプロピレン、ポリオレフィン・エラストマー、ポリプロピレン・コポリマー、生分解性プラスチック、エチレン酢酸ビニル共重合物のいずれかである、請求項１記載の防滑材。
【請求項３】
前記ボードに貼着された場合に当該ボードの前方側が長く当該ボードの後方側が短く、
当該後方からの見え方が貼着面が幅広の略台形状となり、
側面からの見え方が前記ボードの前方がなだらかな斜面の略への字状である、請求項１記載の防滑材。
【請求項４】
前記ボードに貼着された場合に当該ボードの前方側の幅が広く当該ボードの後方側の幅が狭く、端部上面が丸みを帯びている、請求項１記載の防滑材。
【請求項５】
表面に凸部が形成されている、請求項１記載の防滑材。
【発明の詳細な説明】
【技術分野】
【０００１】
本発明は、防滑材に関し、特に、ボードセイリング，サーフボード，水上スキー，フリーボードなどに取り付けられる防滑材に関する。
【背景技術】
【０００２】
特許文献１には、ボードのデッキ後方に貼着する発泡ウレタン製の足パッドのパッド本体内部に、シリコンを主材とするゲル状物質或いは袋詰めした空気である緩衝材を設けて前足用又は後足用と成す旨が開示されている。
【０００３】
【特許文献１】実登第３００３１５０号公報
【発明の開示】
【発明が解決しようとする課題】
【０００４】
しかし、特許文献１に開示されている足パッドは、発泡ウレタン製であることから、吸水によって重くなるという欠点がある。具体的には、足パッドは１００ｇ程度のものが主流であるが、これが吸水すると約４００ｇにまで増量してしまう。
【０００５】
そこで、本発明は、足パッドのような防滑材の素材を工夫して、吸水による重量化を防止することを課題とする。
【課題を解決するための手段】
【０００６】
上記課題を解決するために、本発明は、ボードのデッキ後方に貼着される防滑材を、非吸水性或いは難吸水性の素材によって製造している。
【０００７】
なお、上記の素材としては、軟質ポリ塩化ビニル、特殊ポリエチレン、ポリプロピレン、ポリオレフィン・エラストマー、ポリプロピレン・コポリマー、生分解性プラスチック、エチレン酢酸ビニル共重合物などを例示することができる。
【０００８】
第１の防滑材の形状は、
前記ボードに貼着された場合に当該ボードの前方側が長く当該ボードの後方側が短く、
当該後方からの見え方が貼着面が幅広の略台形状となり、
側面からの見え方が前記ボードの前方がなだらかな斜面の略への字状とすることができる。
【０００９】
第２の防滑材の形状は、
前記ボードに貼着された場合に当該ボードの前方側の幅が広く当該ボードの後方側の幅が狭く、端部上面が丸みを帯びている形状としてもよい。
【００１０】
第１，第２の防滑材は、単独で用いてもよいし、これらを組み合わせて用いてもよい。
【００１１】
また、防滑材の表面には、選択的に凸部を形成してもよい。
【発明の実施の形態】
【００１２】
以下、本発明の実施形態について図面を参照して説明する。
【００１３】
図１は、本発明の実施形態に係る防滑ユニット２００が貼着されたサーフボード１００の模式図である。図１には、汎用的なサーフボード１００と、サーフボード１００の上面後方に位置する防滑ユニット２００とを示している。
【００１４】
防滑ユニット２００は、テールキックブロック３００と、センターブロック４００と、デッキパッド５００という３つのパーツから構成されている。テールキックブロック３００等についての詳細は後述する。
【００１５】
図２は、図１の防滑ユニット２００付近の斜視図である。図３は、図２に示すテールキックブロック３００とセンターブロック４００とデッキパッド５００とを含む防滑ユニット２００の平面図である。
【００１６】
防滑ユニット２００は、その素材を、軟質ポリ塩化ビニル、特殊ポリエチレン、ポリプロピレン、ポリオレフィン・エラストマー、ポリプロピレン・コポリマー、生分解性プラスチック、エチレン酢酸ビニル共重合物などから選択している。
【００１７】
上記の各素材は、いずれも非吸水性或いは難吸水性である。すなわち、本実施形態では、発泡ウレタンなどの吸水性物質を用いるのではなく、非吸水性物質或いは難吸水性物質を用いてテールキックブロック３００等を製造している。
【００１８】
しかも、上記の各素材は、いずれも透明又は半透明であることから、サーフボード１００の上面に施されている模様及び色彩が、防滑ユニット２００の貼着によって見えなくなることもない。
【００１９】
図２に示すように、本実施形態のテールキックブロック３００の表面は、一層の防滑効果、つまりは、所要のグリップ力を得るために、表面に大小様々な形状の凸部を形成してもよい。さらに、テールキックブロック３００の全体的にエッチング加工などを施すことにより、その表面を例えば０．１〜０．４ｍｍ程度の段差となるような梨地状に荒らしてもよい。また、センターブロック４００についても、テールキックブロック３００と同様に、その表面に大小様々な形状の凸部を形成している。凹凸差は、限定的ではないが、１ｍｍ〜５ｍｍ程度としている。もっとも、各凸部の形状、サイズは一例であり、例えば、各々が同一の形状で、直径が約２ｃｍ〜３ｃｍ程度のものとしてもよい。
【００２０】
図３に示すように、テールキックブロック３００に隣接して、中央部が開口されているデッキパッド５００が配置される。デッキパッド５００の開口部には、センターブロック４００が配置される。
【００２１】
テールキックブロック３００等は、いずれも、サーフボード１００へ貼着面に粘着剤が塗布されており、さらに、その粘着剤は使用前には剥離紙によって保護されている。
【００２２】
図４は、図３に示すテールキックブロック３００の模式図である。図４（ａ）にはテールキックブロック３００の平面図を示し、図４（ｂ）にはテールキックブロック３００の背面図を示し、図４（ｃ）にはテールキックブロック３００の側面図を示している。
【００２３】
テールキックブロック３００の概形は、以下のとおりである。すなわち、
図４（ａ）に示すように、サーフボード１００に貼着された場合にサーフボード１００の前方側が長く、サーフボード１００の後方側が短く、
図４（ｂ）に示すように、後方からの見え方は、底面（貼着面）が幅広の略台形状となり、
図４（ｃ）に示すように、側面からの見え方は、サーフボード１００の前方がなだらかな斜面の略への字状である。
【００２４】
テールキックブロック３００のサイズは、以下のとおりである。すなわち、
底面幅の最細部分（図４（ａ）の左右方向の最細部幅）を約１００ｍｍ〜１４０ｍｍ程度とし、最太部分（図４（ａ）の左右方向の最太部幅）を約１５０ｍｍ〜２００ｍｍ程度とし、
底面から頂部までの高さ（図４（ｂ）の上下の長さ）を約２０ｍｍ〜３０ｍｍ程度とし、頂部幅は約１４０ｍｍ〜１６０ｍ程度とし、
前方端部と後方端部との長さ（図４（ｃ）の上下の長さ）を約５０ｍｍ〜６０ｍｍ程度とし、頂部は、後方端部から前方端部までの全長に対して後方端部から約１／４〜１／３の位置に形成している。
【００２５】
テールキックブロック３００の素材として用いることが可能なものは、既述の通りであるが、これらはいずれも相対的に軽量であり、上記サイズのものは８０ｇ〜１７０ｇ程度の重量で済む。
【００２６】
図５は、図３に示すセンターブロック４００の模式図である。図５（ａ）にはセンターブロック４００の平面図を示し、図５（ｂ）にはセンターブロック４００の側面図を示し、図５（ｃ）には図５（ａ）のＡ−Ａ部分の断面図を示し、図５（ｄ）には図５（ａ）のＢ−Ｂ部分の断面図を示している。
【００２７】
センターブロック４００の概形は、サーフボード１００に貼着された場合に、サーフボード１００の前方側の幅が広く、サーフボード１００の後方側の幅が狭く、端部上面が丸みを帯びている。
【００２８】
センターブロック４００は、長さを約１２０ｍｍ〜１８０ｍｍ程度とし、最大幅を約５０ｍｍ〜６０ｍｍ程度とし、最小幅を約４０ｍｍ〜５０ｍｍ程度とし、上記端部上面に囲まれている中央部分は前方が約２５〜３０ｍｍ、後方が約２０〜２５ｍｍの台形状としている。
【００２９】
デッキパッド５００は、図３に１枚タイプのものを示しているが、例えば、幾つかのパーツを組み合わせたタイプのものとしてもよい。具体的には、デッキパッド５００は、例えば、各々が、センターブロック４００の形状に応じた切り欠きを設けた２枚或いは４枚のパーツから構成してもよい。
【００３０】
デッキパッド５００の表面は、一層の防滑効果を得るために、表面に複数の突起を形成するとよい。これらの突起は、限定的ではないが、幅高さともに、０．２ｍｍ〜０．８ｍｍ程度の柱状としている。
【００３１】
図６は、図２に示す図１の防滑ユニット２００の変形例を示す模式図である。図６に示すものは、テールキックブロック３００を変形している。具体的には、テールキックブロック３００の後方の隆起箇所に、所定の肉厚を有する中空部３１０を形成している。所定の肉厚は、テールキックブロック３００の素材の選択によっても異なるが、１０ｍｍ程度とすることが考えられる。中空部３１０は、例えば、これに応じた金型を製造することによって達成することができる。
【００３２】
テールキックブロック３００の隆起箇所の両側面の一部には開口部３２０を形成してある。このため、中空部３１０に海水が溜まってしまうという状態を回避することができる。もっとも、開口部３２０の形成は必須ではなく、中空部３１０を形成時に生じてしまう貫通部分をシールすることで、中空部３１０に海水が溜まってしまうという状態を回避してもよい。
【００３３】
図６に示すように、中空部３１０を形成すると、テールキックブロック３００の軽量化を図ることができるし、テールキックブロック３００の透明性も向上させることができるし、更には、テールキックブロック３００自体に緩衝機能を付与することもできる。
【図面の簡単な説明】
【００３４】
【図１】本発明の実施形態に係る防滑ユニット２００が貼着されたサーフボード１００の模式図である。
【図２】図１の防滑ユニット２００付近の斜視図である。
【図３】図２に示すテールキックブロック３００とセンターブロック４００とデッキパッド５００とを含む防滑ユニット２００の平面図である。
【図４】図３に示すテールキックブロック３００の模式図である。
【図５】図３に示すセンターブロック４００の模式図である。
【図６】図２に示す図１の防滑ユニット２００の変形例を示す模式図である。
【符号の説明】
【００３５】
１００  サーフボード
２００  防滑ユニット
３００  テールキックブロック
４００  センターブロック
５００  デッキパッド
【図１】
2012179933.tif 000003
【図２】
2012179933.tif 000004
【図３】
2012179933.tif 000005
【図４】
2012179933.tif 000006
【図５】
2012179933.tif 000007
【図６】
2012179933.tif 000008